(57)【要約】      （修正有）【課題】実際のコンテンツの使用状況を集計するとともに、地域ごと、時間ごとの使用履歴から位置情報、時間情報別の使用頻度などを判定することができるコンテンツ利用集計システム、サーバ、端末、コンテンツ利用集計方法及びプログラムを提供する。【解決手段】コンテンツ利用集計システムは、クライアント端末である携帯電話機１００が、コンテンツ使用時の利用履歴を、時間情報及び位置情報と共に再生履歴記憶部に記憶するとともに、サーバ２００に送信する。サーバ２００は、各端末Ａ，Ｂ，Ｃから送信されたコンテンツ利用履歴情報を受信し、受信したコンテンツ利用履歴情報を集計し、集計結果に基づいて、コンテンツの使用地域ごと、使用時間ごとの使用状況を判定する。【選択図】図１
2008171031.tif 000002
【特許請求の範囲】
【請求項１】
端末と、前記端末からのコンテンツ要求によってコンテンツを送信するサーバとを備えるコンテンツ利用集計システムであって、
前記端末は、
コンテンツを再生するコンテンツ再生手段と、
位置情報を取得する位置情報取得手段と、
時間情報を取得する時間情報取得手段と、
コンテンツ使用時の使用履歴を、前記時間情報及び前記位置情報と共に記憶するコンテンツ利用履歴情報記憶手段と、
前記コンテンツ利用履歴情報をサーバに送信する送信手段とを備え、
前記サーバは、
各端末から送信されたコンテンツ利用履歴情報を受信する受信手段と、
受信したコンテンツ利用履歴情報を集計するコンテンツ利用履歴情報集計手段と、
前記コンテンツ利用履歴情報集計手段により集計された集計結果に基づいて、コンテンツの使用地域ごと、及び／又は使用時間ごとの使用状況を判定する判定手段と
を備えるコンテンツ利用集計システム。
【請求項２】
前記判定手段は、コンテンツの使用地域ごと、及び／又は使用時間ごとの使用頻度を判定する請求項１記載のコンテンツ利用集計システム。
【請求項３】
前記判定手段は、コンテンツの使用地域ごと、及び／又は使用時間ごとの人気度ランキングを判定する請求項１記載のコンテンツ利用集計システム。
【請求項４】
前記コンテンツ利用履歴情報集計手段により集計された集計結果に基づいて、使用地域ごと、及び／又は使用時間ごとに使用されるコンテンツに関連する関連コンテンツを生成する関連コンテンツ生成手段を備える請求項１記載のコンテンツ利用集計システム。
【請求項５】
前記コンテンツ利用履歴情報集計手段により集計された集計結果に基づいて、前記端末が利用可能な情報を生成する端末情報生成手段と、
前記端末情報生成手段により生成された情報を前記端末に送信する送信手段とを備える請求項１記載のコンテンツ利用集計システム。
【請求項６】
端末からのコンテンツ要求によってコンテンツを送信するサーバであって、
前記端末から送信されたコンテンツ利用履歴情報を受信する受信手段と、
受信したコンテンツ利用履歴情報を集計するコンテンツ利用履歴情報集計手段と、
前記コンテンツ利用履歴情報集計手段により集計された集計結果に基づいて、コンテンツの使用地域ごと、及び／又は使用時間ごとの使用状況を判定する判定手段と
を備えるサーバ。
【請求項７】
前記コンテンツ利用履歴情報は、前記端末が実際に使用したコンテンツ使用時の時間情報及び前記端末の位置情報を基に作成されたコンテンツの使用履歴である請求項６記載のサーバ。
【請求項８】
前記判定手段は、コンテンツの使用地域ごと、及び／又は使用時間ごとの使用頻度を判定する請求項６記載のサーバ。
【請求項９】
前記判定手段は、コンテンツの使用地域ごと、及び／又は使用時間ごとの人気度ランキングを判定する請求項６記載のサーバ。
【請求項１０】
前記コンテンツ利用履歴情報集計手段により集計された集計結果に基づいて、使用地域ごと、及び／又は使用時間ごとに使用されるコンテンツに関連する関連コンテンツを生成する関連コンテンツ生成手段を備える請求項６記載のサーバ。
【請求項１１】
前記コンテンツ利用履歴情報集計手段により集計された集計結果に基づいて、前記端末が利用可能な情報を生成する端末情報生成手段と、
前記端末情報生成手段により生成された情報を前記端末に送信する送信手段とを備える請求項６記載のサーバ。
【請求項１２】
サーバから送信されるコンテンツを受信する端末であって、
コンテンツを再生するコンテンツ再生手段と、
位置情報を取得する位置情報取得手段と、
時間情報を取得する時間情報取得手段と、
コンテンツ使用時の使用履歴を、前記時間情報及び前記位置情報と共に記憶するコンテンツ利用履歴情報記憶手段と、
前記コンテンツ利用履歴情報をサーバに送信する送信手段と
を備える端末。
【請求項１３】
端末からのコンテンツ要求によってコンテンツを送信するサーバのコンテンツ利用集計方法であって、
前記端末が、実際に使用したコンテンツ使用時の使用履歴を、時間情報及び前記端末の位置情報と共に取得するステップと、
取得したコンテンツ利用履歴情報を集計するステップと、
集計された集計結果に基づいて、コンテンツの使用地域ごと、及び／又は使用時間ごとの使用状況を判定するステップと
を有するコンテンツ利用集計方法。
【請求項１４】
端末からのコンテンツ要求によってコンテンツを送信するサーバのコンテンツ利用集計方法であって、前記端末が、実際に使用したコンテンツ使用時の使用履歴を、時間情報及び前記端末の位置情報と共に取得するステップと、取得したコンテンツ利用履歴情報を集計するステップと、集計された集計結果に基づいて、コンテンツの使用地域ごと、及び／又は使用時間ごとの使用状況を判定するステップとをコンピータにより実行させるためのプログラム。
【発明の詳細な説明】
【技術分野】
【０００１】
本発明は、端末からのコンテンツ要求によってコンテンツを送信するサーバを備えるコンテンツ利用集計システム、サーバ、端末、コンテンツ利用集計方法及びプログラムに関する。
【背景技術】
【０００２】
携帯電話機は、いわゆる電波の送受信を行う電話機としての機能のほかに、メールを送受信できる機能や、ゲームが楽しめる機能、インターネットに接続する機能などを有している。例えば、ウェブサイトにアクセスし、テキストデータ、画像データ、音声データ等のコンテンツデータをダウンロードすることにより、携帯電話機のユーザは所望とする待ち受け画面や着信音を携帯電話に設定することが可能となる。また、携帯情報端末と位置判定端末を用い、位置判定端末からの情報を携帯情報端末に提示するシステムとして、汎用ＰＤＡ（Personal Digital Assistants）にＧＰＳ（Global Positioning System）装置を装着することにより、ＧＰＳからの位置情報をＰＤＡに表示するというものがある。
【０００３】
特許文献１には、通信カラオケにおいて、使用されたコンテンツの使用履歴をサーバ側で記録しておき、人気度を手間をかけずに集計するオーディションシステムが記載されている。
【０００４】
特許文献２には、サーバ側でダウンロードされたコンテンツとともにダウンロードされた端末を保持しておき、端末ごとのコンテンツの人気度を集計し、端末ごとの適したコンテンツをダウンロードできるようにするコンテンツのランキング決定方法が記載されている。
【０００５】
特許文献３には、コンテンツの使用履歴とともに時間情報を記録しておき、複数のコンテンツから削除してもよいコンテンツを容易に特定できるようにするコンテンツデータ管理装置が記載されている。
【特許文献１】特開２００２-３７２９８０号公報
【特許文献２】特開２００４-１３３８３６号公報
【特許文献３】特開２００４-２９７４２７号公報
【発明の開示】
【発明が解決しようとする課題】
【０００６】
しかしながら、このような従来のコンテンツの管理装置にあっては、以下のような課題があった。
【０００７】
特許文献１記載のオーディションシステムは、カラオケ等のストリーミング型コンテンツに限定され、蓄積型のコンテンツでは利用履歴を集計することができなかった。
【０００８】
特許文献２記載のコンテンツのランキング決定方法は、ダウンロードされたコンテンツに対する人気度を集計するものであり、ダウンロード後のコンテンツの使用頻度を集計するものではなかった。
【０００９】
特許文献３記載のコンテンツデータ管理装置は、特定の端末内で使用履歴とともに時間情報を記録しておくものであり、集計する機能を保持したものではなかった。
【００１０】
このように、ユーザがコンテンツを購入したタイミングで人気度を集計するシステムはあったが、実際の使用頻度を集計するシステムはなかった。また、地域ごと、時間ごとの使用履歴から位置情報、時間情報別の使用頻度を集計するシステムはなかった。さらに、関連するコンテンツの情報を得るためには、雑誌などの別の媒体から得なければならない場合があった。
【００１１】
本発明は、上記に鑑みてなされたものであり、実際のコンテンツの使用状況を集計することができ、地域ごと、時間ごとの使用履歴から位置情報、時間情報別の使用頻度などを判定することができるコンテンツ利用集計システム、サーバ、端末、コンテンツ利用集計方法及びプログラムを提供することを目的とする。
【課題を解決するための手段】
【００１２】
本発明のコンテンツ利用集計システムは、端末と、前記端末からのコンテンツ要求によってコンテンツを送信するサーバとを備えるコンテンツ利用集計システムであって、前記端末は、コンテンツを再生するコンテンツ再生手段と、位置情報を取得する位置情報取得手段と、時間情報を取得する時間情報取得手段と、コンテンツ使用時の使用履歴を、前記時間情報及び前記位置情報と共に記憶するコンテンツ利用履歴情報記憶手段と、前記コンテンツ利用履歴情報をサーバに送信する送信手段とを備え、前記サーバは、各端末から送信されたコンテンツ利用履歴情報を受信する受信手段と、受信したコンテンツ利用履歴情報を集計するコンテンツ利用履歴情報集計手段と、前記コンテンツ利用履歴情報集計手段により集計された集計結果に基づいて、コンテンツの使用地域ごと、及び／又は使用時間ごとの使用状況を判定する判定手段とを備える構成を採る。
【００１３】
本発明のサーバは、端末からのコンテンツ要求によってコンテンツを送信するサーバであって、前記端末から送信されたコンテンツ利用履歴情報を受信する受信手段と、受信したコンテンツ利用履歴情報を集計するコンテンツ利用履歴情報集計手段と、前記コンテンツ利用履歴情報集計手段により集計された集計結果に基づいて、コンテンツの使用地域ごと、及び／又は使用時間ごとの使用状況を判定する判定手段とを備える構成を採る。
【００１４】
本発明の端末は、サーバから送信されるコンテンツを受信する端末であって、コンテンツを再生するコンテンツ再生手段と、位置情報を取得する位置情報取得手段と、時間情報を取得する時間情報取得手段と、コンテンツ使用時の使用履歴を、前記時間情報及び前記位置情報と共に記憶するコンテンツ利用履歴情報記憶手段と、前記コンテンツ利用履歴情報をサーバに送信する送信手段とを備える構成を採る。
【００１５】
本発明のコンテンツ利用集計方法は、端末からのコンテンツ要求によってコンテンツを送信するサーバのコンテンツ利用集計方法であって、前記端末が、実際に使用したコンテンツ使用時の使用履歴を、時間情報及び前記端末の位置情報と共に取得するステップと、
取得したコンテンツ利用履歴情報を集計するステップと、集計された集計結果に基づいて、コンテンツの使用地域ごと、及び／又は使用時間ごとの使用状況を判定するステップとを有する。
【００１６】
また、別の観点から本発明は、端末からのコンテンツ要求によってコンテンツを送信するサーバのコンテンツ利用集計方法であって、前記端末が、実際に使用したコンテンツ使用時の使用履歴を、時間情報及び前記端末の位置情報と共に取得するステップと、取得したコンテンツ利用履歴情報を集計するステップと、集計された集計結果に基づいて、コンテンツの使用地域ごと、及び／又は使用時間ごとの使用状況を判定するステップとをコンピュータにより実行させるためのプログラムである。
【発明の効果】
【００１７】
本発明によれば、実際のコンテンツの使用状況を集計することができ、地域ごと、時間ごとの使用履歴から位置情報、時間情報別の使用頻度などを判定することができる。これにより、コンテンツプロバイダーにとっては、コンテンツの開発指針や販売促進に繋げることができ、端末ユーザにとっては、無料コンテンツ提供などのサービスを享受することができる。
【発明を実施するための最良の形態】
【００１８】
以下、本発明の実施の形態について図面を参照して詳細に説明する。
【００１９】
図１は、本発明の一実施の形態のコンテンツ利用集計システムの概略構成を示す図である。コンテンツ利用集計システムとして、通信端末装置とネットワークを介して接続されるサービスサーバとからなるコンテンツ利用集計システムに適用した例である。
【００２０】
図１において、コンテンツ利用集計システムは、コンテンツを使用するクライアント端末である携帯電話機１００と、携帯電話独自のネットワークである携帯電話通信網，インターネット又は専用回線からなるネットワーク網１５０、携帯電話機１００からネットワーク網１５０を介してアクセス可能なサーバ２００を備えて構成される。
【００２１】
携帯電話機１００は、現在普及しているＷｅｂ閲覧機能もしくは電子メールの送受信機能を持つ携帯電話機や、ＰＨＳ（Personal Handy-Phone System）、またそれらを内蔵又は装着したＰＤＡであってもよい。基地局を介してネットワーク網１５０に接続されたサーバ２００の情報を受信できる。図１では、端末Ａ，端末Ｂ，端末Ｃで示されているが、実際にはユーザに携帯される多数の携帯情報端末を含み、デスクトップパソコン等の固定端末も含まれる。なお、通信電波の通信方式は、ＰＤＣ（Personal Digital Cellular）方式、ＧＳＭ（Global System for Mobile Communications）方式、ＣＤＭＡ（Code Division Multiple Access）方式が挙げられる。
【００２２】
携帯電話機１００は、基地局（図示略）及びネットワーク網１５０を経由してサーバ２００にアクセスすることにより、サーバ２００に格納されている各種コンテンツを取得することができる。例えば、携帯電話機１００では、サーバ２００にコンテンツ取得要求を送信し、そのコンテンツ提供サーバからＷＥＢページ、音楽、画像等のコンテンツをダウンロードすることができる。
【００２３】
ネットワーク網１５０は、移動体通信網、公衆電話網、ＬＡＮやインターネットなどから構成するネットワークであり、有線系又は無線系などネットワークの種類とプロトコルの種類は特に問わない。また、アクセス回線としてはＦＴＴＨ（Fiber To The Home）、ＨＦＣ（Hybrid Fiber Coax：光同軸ケーブル）、及びＡＤＳＬ（Asymmetric Digital Subscriber Line）／ＶＤＳＬ（Very high data rate Digital Subscriber Line）等の大容量回線が利用可能である。
【００２４】
サーバ２００は、ネットワーク網１５０に接続して通信を行う通信部２１０と、サーバ全体の制御及び情報配信機能、携帯電話機１００ユーザからの要望を把握して提供情報を作成し、該情報を提供するサービス提供処理を実現するコンピュータからなる制御部２２０と、ハードディスクなどからなりコンテンツデータと共に、再生履歴情報を格納するデータベース２３０とを備えて構成される。また、図示は省略されているが、サーバ２００は、データ入力や各種機能の指示を行うためのキーボード、専用のキーあるいはＧＵＩ（Graphical User Interface）ボタン及びマウス等のポインティングデバイス等で構成される入力部、日時時刻を計時、あるいは、一定時間の経過を計測するための計時部、外部記録装置や各種機器を接続するためのインタフェースを備えている。
【００２５】
サーバ２００は、携帯電話機１００からの要求に従い、データベース２３０に蓄積されたデータを、ネットワーク網１５０及び基地局を通して携帯電話機１００に配信する。
【００２６】
制御部２２０は、位置・時間情報のコンテンツ利用集計処理を実行するプログラム実行部であり、メイン処理部２２１、判定部２２２、画面作成部２２３、リスト作成部２２４、データベース登録部２２５、データベース参照部２２６、及びカウント部２２７から構成される。制御部２２０は、各端末Ａ，Ｂ，Ｃから送信されたコンテンツ利用履歴情報を通信部２１０により受信し、受信したコンテンツ利用履歴情報を集計し、集計結果に基づいて、コンテンツの使用地域ごと、使用時間ごとの使用状況を判定する。例えば、コンテンツの使用地域ごと、使用時間ごとの使用頻度や人気度ランキングを判定する。
【００２７】
データベース２３０は、ネットワークを使った情報配信サービスを実現するためのコンテンツデータを蓄積するデータベースである。データベース２３０には、コンテンツデータのほか、データベース登録部２２５によって、位置・時間情報のコンテンツ利用履歴集計情報が登録される。
【００２８】
図２は、サーバ２００のデータベース２３０に登録される位置・時間情報のコンテンツ利用履歴集計情報の一例を示す図である。図２に示すように、データベース２３０には、コンテンツＩＤ３０１、視聴端末情報３０２、視聴者年代情報３０３、視聴者性別情報３０４、再生時間情報３０５、再生位置情報３０６、及び関連コンテンツＩＤ３０７が登録される。
【００２９】
なお、コンテンツとしては、ページデータファイル（例えばＨＴＭＬ（Hyper Text Markup Language）ファイル）のほか、各種画像（静止画及び動画）を構成する画像データファイル、各種音楽を構成する音楽データファイル、プログラムファイル等の各種ファイル、画像及び音楽などのストリーミングデータがある。
【００３０】
また、データベース２３０は、サーバ２００から独立して構成し、データリンクにより連携するものでもよい。データベース２３０の構築はどのようなものでもよく、例えば、コンテンツ情報を配信するデータ量、ダウンロード時間、又はパケット価格を一覧表として保存し、ある一定の基準値を超える場合にその情報を出力する構成とする。また、データ量優先、ダウンロード時間優先の選択や時間帯割引情報などが付加されたものでもよい。また、サーバ２００は、キャリア又は顧客情報を管理する事業者の管理サーバに接続されるものでもよい。
【００３１】
図３は、クライアント端末である携帯電話機１００の構成を示すブロック図である。
【００３２】
図３において、携帯電話機１００は、本装置全体を制御するＣＰＵからなる制御部１０１、ＬＣＤディスプレイ及び各ドライバ等で構成され、受信した情報の内容やコンテンツ等を表示する表示部１０２、ユーザからのキー操作情報を入力生成するキー入力部１０３、音声信号を出力するスピーカ１０４、ネットワーク網１５０に対し情報を送受信する無線通信部１０５、クロック等の計時手段からなり時間情報を取得する時間情報取得部１０６、ユーザの現在の位置情報を取得する位置情報取得部１０７、取得した位置情報を記憶する位置情報記憶部１０８、ユーザのプロフィールを格納するユーザプロフィール格納部１０９、取得したコンテンツを格納するコンテンツ格納部１１０、再生履歴情報を記録する再生履歴記憶部１１１を備えて構成される。
【００３３】
制御部１０１は、具体的には、装置全体の制御及びコンテンツの再生（表示，視聴など）を行うＣＰＵ、各種処理のプログラムを収めたＲＯＭ、ＲＡＭ、電気的に書換可能な不揮発性メモリであるＥＥＰＲＯＭ（electrically erasable programmable ROM）等から構成され、装置全体の制御を行うＣＰＵにより情報処理として実行される。また、不揮発性メモリには、端末の番号や名前などの端末固有の端末情報が記憶されている。
【００３４】
キー入力部１０３は、データ入力や設定、各種機能の指示を行うためのキーボード、専用のキーあるいはＧＵＩ（Graphical User Interface）ボタン及びスティックキー等のポインティングデバイス等で構成される。また、端末が、ＰＤＡではタッチパネルやキーボード、携帯電話機であればキー，ジョグダイヤル等のユーザ端末に対して入力を行う入力装置である。
【００３５】
無線通信部１０５は、基地局、複数の端末と無線で通信する。また、無線通信部１０５は、所定のサービスサイトに無線通信でアクセスしてコンテンツをダウンロードする。
【００３６】
時間情報取得部１０６は、日時時刻を計時、あるいは、一定時間の経過を計測するための計時部である。
【００３７】
位置情報取得部１０７は、ＰＨＳ・携帯電話の基地局等ユーザ端末に対して現在位置情報を与え、相手端末と接近確認から位置を取得する。また、位置情報の電波をＧＰＳ衛星等から受信するＧＰＳアンテナを備え、ＧＰＳアンテナを介して受信した情報より、現在位置情報を、緯度／経度の２つのパラメータとして算出するＧＰＳ機能により位置情報を取得するものでもよい。
【００３８】
ユーザプロフィール格納部１０９、コンテンツ格納部１１０、及び再生履歴記憶部１１１は、端末の番号や名前などの端末固有の端末情報と共に、ユーザのプロフィール、コンテンツ、及び再生履歴を記憶するもので、ＲＡＭ等のメモリ、ハードディスクドライブ（ＨＤＤ）等の固定ディスクから構成される。また、ＨＤＤ等のディスク装置のほか、例えば電源バックアップにより書き込まれた情報を保持するＳＲＡＭ（Static RAM）カードや電源バックアップが不要なフラッシュメモリ等からなるコンパクトフラッシュ（登録商標）（ＣＦ）、スマートメディア、メモリスティク等である。
【００３９】
以下、上述のように構成されたコンテンツ利用集計システムの動作を説明する。
【００４０】
〔全体動作〕
図１乃至図３に示すように、各端末Ａ，Ｂ，Ｃ（携帯電話機１００）は、コンテンツの再生を行ったタイミングの位置情報及び時間情報を、位置情報記憶部１０８に記憶しておく。すなわち、各端末Ａ，Ｂ，Ｃは、コンテンツの利用履歴と共に時間情報、位置情報を記録しておき、時間ごと、位置ごとの使用頻度を集計する。
【００４１】
また、各端末Ａ，Ｂ，Ｃは、コンテンツの利用状況を時間情報、位置情報、及び端末ＩＤと共にサーバ２００に送信する。このコンテンツの利用状況のサーバ２００への送信は、各端末Ａ，Ｂ，Ｃが自機の空き時間を利用して自動的にサーバ２００に送信する。このため、各端末Ａ，Ｂ，Ｃにとって、コンテンツの利用状況をサーバ２００に送信すること、それ自体には直接的なメリットはなく、むしろ送信中における使用制限及びバッテリ消費などをもたらす。そこで、コンテンツの利用状況を通知するクライアント端末に対して、インセンティブを付与する。詳細は、図７により後述するが例えば、送信ごとにポイントを付与し、一定ポイントが貯まるとコンテンツが無料ダウンロードできるなどである。
【００４２】
サーバ２００は、各端末Ａ，Ｂ，Ｃから送信されてきた端末ごとの利用履歴を集計する。これにより、手間をかけずに地域ごと、時間ごとのコンテンツの使用人気度を集計することができる。また、一定時間内に連続されて利用されたコンテンツを「関連コンテンツ」とすることにより、関連コンテンツの情報を容易に生成することができる。
【００４３】
図４は、利用履歴収集時のクライアント−サーバ間の制御シーケンス図である。図４中、クライアント端末は携帯電話機１００、サーバはサーバ２００である。
【００４４】
携帯電話機１００（クライアント端末）のユーザは、コンテンツ格納部１１０に格納されたコンテンツを再生し（ステップＳ１）、このコンテンツ再生が終了する（ステップＳ２）。この時、ステップＳ３で位置情報取得部１０７が携帯電話機１００の位置情報を取得し、ステップＳ４で時間情報取得部１０６が時間情報を取得し、ステップＳ５で再生時間情報を取得する。位置情報は、基地局情報又はＧＰＳなどで取得する。もし取得できない場合は、最後に取得した情報を記憶しておき、これを位置取得情報とする。
【００４５】
ステップＳ６では、上記各取得情報を基に再生履歴記憶部１１１のコンテンツ再生履歴を更新する。
【００４６】
図５は、コンテンツ再生履歴情報の管理例を示す図である。このコンテンツ再生履歴情報は、携帯電話機１００（クライアント端末）側で生成され管理される。図５において、コンテンツ再生履歴情報は、利用時間ごとに再生時間と、コンテンツ内容を示すコンテンツＩＤと、そのコンテンツが再生（利用）された携帯電話機１００位置情報を生成する。位置情報は、実際には取得した位置の経度緯度情報であるが、図５では便宜上、新宿，横浜，川崎などの地名で示している。
【００４７】
図６は、コンテンツの利用状況の一例を示す図である。このコンテンツの利用状況を示す情報は、携帯電話機１００（クライアント端末）側又はサーバ２００側のいずれで作成してもよい。図６において、コンテンツの利用状況を示す情報は、コンテンツＩＤごとにコンテンツの再生回数と、コンテンツの最終アクセス時間と、コンテンツの最終アクセス位置を作成する。携帯電話機１００側で作成する場合は、制御部１０１がプログラム処理により作成し、再生履歴記録部１１１に保持する。サーバ２００側で作成する場合には、サーバ２００が各端末Ａ，Ｂ，Ｃからのコンテンツ再生履歴情報（図５参照）を受信し、制御部２２０のメイン処理部２２１が各機能部２２２〜２２６を制御して、各端末Ａ，Ｂ，Ｃごとのコンテンツの利用状況（図６参照）を作成する。携帯電話機１００側で作成する場合は、サーバ２００の負担は少なくなるが、各端末側の負担は増える。本利用履歴集計システム全体の運用から決定することが好ましい。
【００４８】
図４のシーケンスに戻って、ステップＳ７でユーザプロフィール格納部１０９からユーザプロフィールを取得し、ステップＳ８で携帯電話機１００（クライアント端末）はサーバ２００にコンテンツ再生履歴情報を送信する。このコンテンツ再生履歴情報送信では、利用履歴情報（図５のコンテンツ再生履歴情報）と共に、ユーザプロフィール情報及び端末情報なども合わせて送信する。
【００４９】
サーバ２００側では、ステップＳ９で携帯電話機１００（クライアント端末）からのコンテンツ再生履歴情報を受信し、ステップＳ１０でデータベース２３０に保存し、ステップＳ１１でコンテンツ再生履歴情報を受信したことに対する応答（Ａｃｋ）を送信する。
【００５０】
携帯電話機１００（クライアント端末）側では、ステップＳ１２でこの応答を受信し、本利用履歴収集シーケンスを終了する（ステップＳ１３）。
【００５１】
クライアント端末は、コンテンツ再生履歴情報（図５参照）又はコンテンツの利用状況（図６参照）をサーバ２００に送信することによって、様々なサービスを受けることができる。
【００５２】
図７は、サーバ側に履歴情報等を通知することによりクライアント端末が受けられるサービス例を示す図である。図７に示すように、サーバに履歴情報等を通知するクライアント端末に対しては、現金、通話料、別コンテンツ提供などでサービスを受けられるようにする。
【００５３】
上述したように、クライアント−サーバ間では、図４のシーケンスが実施され、利用履歴収集が行われる。この利用履歴収集とは別に、クライアント端末からサーバに送信される情報には、以下のものがある。
【００５４】
図８及び図９は、クライアント端末からサーバに送信される情報を示す図であり、図４のステップＳ８〜ステップＳ１２と同様のシーケンスにより送信される。図８は、コンテンツ再生を行った後、任意のタイミングで送信する情報を、図９は、コンテンツ再生とは非同期で、１年に１回程度送信する情報を示す。図８及び図９に示す情報は、いずれもサーバが各クライアント端末の使用状況とユーザプロフィールを把握し、位置・時間情報のコンテンツ利用履歴集計情報の質向上を図るためのものである。
【００５５】
以上、主としてサーバがクライアント端末から利用履歴などを収集する時のクライアント−サーバ間の制御シーケンスについて説明した。本システムでは、クライアント端末がサーバに対して自端末の再生履歴利用状況を閲覧することも可能である。
【００５６】
図１０は、利用履歴／集計結果閲覧時のクライアント−サーバ間の制御シーケンス図である。図１０中、クライアント端末は携帯電話機１００、サーバはサーバ２００である。
【００５７】
ユーザが自端末の再生履歴利用状況を閲覧したい場合、所定モード設定選択後に、本プログラム処理を起動する。これにより、クライアント端末が再生履歴利用状況を参照する利用履歴／集計結果閲覧処理がスタートし（ステップＳ２１）、ステップＳ２２で携帯電話機１００（クライアント端末）はサーバ２００に対し再生履歴利用状況要求を送信する。
【００５８】
サーバ２００側では、ステップＳ２３で携帯電話機１００（クライアント端末）からの再生履歴利用状況要求を受信し、ステップＳ２４でデータベース参照部２２６がデータベース２３０を参照する。次いで、ステップＳ２５でリスト作成部２２４がクライアント端末に送信すべき再生履歴利用状況をデータ編集し、ステップＳ２６で編集した再生履歴利用状況データを応答（Ａｃｋ）送信する。
【００５９】
携帯電話機１００（クライアント端末）側では、ステップＳ２７でこの応答を受信し、ステップＳ２８で受信した再生履歴利用状況を表示部１０２に表示して本利用履歴／集計結果閲覧シーケンスを終了する（ステップＳ２８）。
【００６０】
〔サーバ側の情報利用動作〕
サーバ２００側の動作例を、沖縄でのチャートランキング表示を例に採り説明する。
【００６１】
サーバ２００のデータベース２３０には、図２に示すコンテンツ利用履歴集計情報が蓄積されている。
（１）クライアント端末から「沖縄で過去１ヵ月のランキング表示」の要求を受信する。
（２）サーバ２００は、この要求を受信し、制御部２２０のデータベース参照部２２６が、データベース２３０から「再生位置＝沖縄」「再生時間＞過去１ヵ月前」になるものをキーにして検索する。
（３）カウント部２２７がデータベース参照部２２６により取得したデータを「コンテンツＩＤ」ごとにカウントする。
（４）カウントしたデータを、判定部２２２が順位判定し、リスト作成部２２４が判定順位に従ってランキングを作成する。図１１は、ランキング情報の一例を示す図である。
（５）作成した「ランキング表示」を、クライアント端末の表示画面に表示できる形式（ＨＴＭＬなど）に変換して、クライアント端末に返す。
【００６２】
以上のように、本実施の形態によれば、コンテンツ利用集計システムは、クライアント端末である携帯電話機１００が、コンテンツ使用時の使用履歴を、時間情報及び位置情報と共に再生履歴記憶部１１１に記憶するとともに、サーバ２００に送信し、サーバ２００は、各端末Ａ，Ｂ，Ｃから送信されたコンテンツ利用履歴情報を受信し、受信したコンテンツ利用履歴情報を集計し、集計結果に基づいて、コンテンツの使用地域ごと、使用時間ごとの使用状況を判定するので、コンテンツ購入後のコンテンツの使用頻度を地域ごと、時間ごとに集計することができる。特に、実際の使用頻度を集計することができ、また、地域ごと、時間ごとの使用履歴から位置情報、時間情報別の使用頻度を集計することができる。
【００６３】
具体的には、以下の効果（ａ）−（ｅ）を期待することができる。
【００６４】
（ａ）コンテンツプロバイダーにとっては、手間をかけずに各個人のコンテンツの実利用状況を収集することができる。（ｂ）また、コンテンツを購入した後のユーザの利用状況を知ることができる。例えば、長く好んで聞かれる曲などである。（ｃ）地域情報を含めることにより、特定の地域で好んで視聴されるコンテンツの利用状況を知ることができる。例えば、図１１に示すように沖縄で好まれる曲、湘南で好まれる曲などである。（ｄ）時間情報を含めることにより、特定の時間、特定の季節に好んで視聴されるコンテンツの利用状況を知ることができる。例えば、夜に好んで聞かれる曲、秋に好んで聞かれる曲などである。（ｅ）特定の個人のコンテンツの利用状況を知ることができる。例えば、通勤・通学電車では音楽を視聴する、ドライブに行った場合は地図アプリを使用するなどである。
【００６５】
さらに、以下の効果（ｆ）−（ｉ）を期待することができる。
【００６６】
（ｆ）地域に特化したコンテンツの利用状況を知ることができる。例えば、ある鉄道シミュレーションソフト（東海道線版）は東海地方の人にどれくらい利用されているかである。（ｇ）送信する情報にユーザプロフィール情報を含ませることにより、年代別、性別のランキング情報の取得が容易になる。例えば、１０代に好んで聞かれている曲などである。（ｈ）送信する情報に端末情報を送信することにより、端末ごとのランキング情報の生成が可能になる。（ｉ）一定時間内に再生されたコンテンツを関連したコンテンツとすることにより、関連コンテンツの情報を容易に生成できる。（ｊ）再生後一定時時間が経過したコンテンツのみの再生履歴を記録しておくことにより、スキップされた曲などを集計システムに反映するのを防ぐことができる。
【００６７】
図１２は、サーバ側で集計可能な情報をまとめた表を示す図である。
【００６８】
以上述べた効果により、コンテンツプロバイダーにとっては、コンテンツの開発指針や販売促進に繋げることができ、端末ユーザにとっては、無料コンテンツ提供などのサービスを享受することができる。
【００６９】
以上の説明は本発明の好適な実施の形態の例証であり、本発明の範囲はこれに限定されることはない。例えば、パーソナルコンピュータを用いたクライアント／サーバに適用することもできるが、これには限定されず、全ての装置に適用可能である。
【００７０】
また、本実施の形態ではコンテンツ利用集計システム、携帯電話機という名称を用いたが、これは説明の便宜上であり、コンテンツ提供システム、コンテンツデータ管理方法及びコンテンツ集計方法等であってもよいことは勿論である。
【００７１】
さらに、上記通信端末装置、サーバ及びコンテンツ利用集計システムを構成する各部、例えば通信部、データ格納部の種類、その数及び接続方法などはどのようなものでもよい。
【００７２】
以上説明したコンテンツ利用集計システム及び方法は、このコンテンツ利用集計システム及び方法を機能させるためのプログラムでも実現される。このプログラムはコンピュータで読み取り可能な記録媒体に格納されている。
【産業上の利用可能性】
【００７３】
本発明に係るコンテンツ利用集計システム、サーバ及び端末は、端末からのコンテンツ要求によってコンテンツを送信するサーバを備えるすべてのコンテンツ提供システムに展開することができる。また、コンテンツ利用履歴集計方法として有用である。
【図面の簡単な説明】
【００７４】
【図１】本発明の実施の形態のコンテンツ利用集計システムの概略構成を示す図
【図２】上記実施の形態に係るコンテンツ利用集計システムのサーバのデータベースに登録される位置・時間情報のコンテンツ利用履歴集計情報の一例を示す図
【図３】上記実施の形態に係るコンテンツ利用集計システムのクライアント端末である携帯電話機の構成を示すブロック図
【図４】上記実施の形態に係るコンテンツ利用集計システムの利用履歴収集時のクライアント−サーバ間の制御シーケンス図
【図５】上記実施の形態に係るコンテンツ利用集計システムのコンテンツ再生履歴情報の管理例を示す図
【図６】上記実施の形態に係るコンテンツ利用集計システムのコンテンツの利用状況の一例を示す図
【図７】上記実施の形態に係るコンテンツ利用集計システムのクライアント端末が受けられるサービス例を示す図
【図８】上記実施の形態に係るコンテンツ利用集計システムのクライアント端末からサーバに送信される情報を示す図
【図９】上記実施の形態に係るコンテンツ利用集計システムのクライアント端末からサーバに送信される情報を示す図
【図１０】上記実施の形態に係るコンテンツ利用集計システムの利用履歴／集計結果閲覧時のクライアント−サーバ間の制御シーケンス図
【図１１】上記実施の形態に係るコンテンツ利用集計システムのランキング情報の一例を示す図
【図１２】上記実施の形態に係るコンテンツ利用集計システムのサーバ側で集計可能な情報をまとめた表を示す図
【符号の説明】
【００７５】
１００  携帯電話機（クライアント端末）
１０１，２２０  制御部
１０２  表示部
１０３  キー入力部
１０４  スピーカ
１０５  無線通信部
１０６  時間情報取得部
１０７  位置情報取得部
１０８  位置情報記憶部
１０９  ユーザプロフィール格納部
１１０  コンテンツ格納部
１１１  再生履歴記憶部
１５０  ネットワーク網
２００  サーバ
２１０  通信部
２３０  データベース
２２１  メイン処理部
２２２  判定部
２２３  画面作成部
２２４  リスト作成部
２２５  データベース登録部
２２６  データベース参照部
２２７  カウント部
【図１】
2008171031.tif 000003
【図２】
2008171031.tif 000004
【図３】
2008171031.tif 000005
【図４】
2008171031.tif 000006
【図５】
2008171031.tif 000007
【図６】
2008171031.tif 000008
【図７】
2008171031.tif 000009
【図８】
2008171031.tif 000010
【図９】
2008171031.tif 000011
【図１０】
2008171031.tif 000012
【図１１】
2008171031.tif 000013
【図１２】
2008171031.tif 000014